(57)【要約】  エミッションテスト装置が提供され、エミッションテスト装置は、フィルターハウジングを含むことが可能であり、フィルターハウジングは、フィルターハウジングを識別する第１のＲＦＩＤタグおよび第１のバーコードのうちの少なくとも１つ有している。フィルター媒体は、フィルターハウジングの中に選択的に配設され得、フィルター媒体を識別する第２のＲＦＩＤタグおよび第２のバーコードのうちの少なくとも１つを含むことが可能である。制御装置は、フィルター媒体がフィルターハウジングの中に配設されている場合に、第１のＲＦＩＤタグおよび第１のバーコードのうちの少なくとも１つ、ならびに、第２のＲＦＩＤタグおよび第２のバーコードのうちの少なくとも１つによって提供される情報に基づいて、フィルターハウジングとフィルター媒体をリンクさせることが可能である。
2015522820.tif 000002
【特許請求の範囲】
【請求項１】
フィルターハウジングを識別する第１のＲＦＩＤタグおよび第１のバーコードのうちの少なくとも１つを有する、フィルターハウジングと、
前記フィルターハウジングの中に選択的に配設されるフィルター媒体であって、前記フィルター媒体を識別する第２のＲＦＩＤタグおよび第２のバーコードのうちの少なくとも１つを含む、フィルター媒体と、
前記フィルター媒体が前記フィルターハウジングの中に配設されている場合に、前記第１のＲＦＩＤタグおよび前記第１のバーコードのうちの前記少なくとも１つ、ならびに、前記第２のＲＦＩＤタグおよび前記第２のバーコードのうちの前記少なくとも１つによって提供される情報に基づいて、前記フィルターハウジングと前記フィルター媒体をリンクさせるように動作可能な制御装置と
を備える、エミッションテスト装置。
【請求項２】
前記第１のバーコードおよび前記第２のバーコードが、互いから所定の距離に配設されており、前記第１のバーコードおよび前記第２のバーコードの同時の読み取りを可能にする、請求項１に記載のエミッションテスト装置。
【請求項３】
前記フィルターハウジングが、第１の端部に配設されている第１の継手と、第２の端部に配設されている第２の継手とを含み、前記第１の継手および前記第２の継手が、前記フィルターハウジングを試験用治具に選択的に接続し、前記フィルターハウジングおよび前記フィルター媒体を流体ストリームに選択的に露出させる、請求項１に記載のエミッションテスト装置。
【請求項４】
前記フィルターハウジングが、前記フィルターハウジングを識別する第３のバーコードを含み、前記試験用治具が、前記流体ストリームを識別する第４のバーコードを含む、請求項３に記載のエミッションテスト装置。
【請求項５】
前記第３のバーコードおよび前記第４のバーコードが、互いから所定の距離に配設されており、前記第３のバーコードおよび前記第４のバーコードの同時の読み取りを可能にする、請求項４に記載のエミッションテスト装置。
【請求項６】
前記制御装置が、前記第３のバーコードおよび前記第４のバーコードによって提供される情報に基づいて、前記フィルターハウジングを前記試験用治具にリンクさせるように動作可能である、請求項４に記載のエミッションテスト装置。
【請求項７】
前記制御装置が、前記第１のＲＦＩＤタグおよび前記第１のバーコードのうちの前記少なくとも１つ、前記第２のＲＦＩＤタグおよび第２のバーコードのうちの前記少なくとも１つ、前記第３のバーコード、ならびに前記第４のバーコードによって提供される情報に基づいて、前記フィルター媒体を前記試験用治具にリンクさせるように動作可能である、請求項６に記載のエミッションテスト装置。
【請求項８】
前記制御装置が、前記第１の継手および前記第２の継手が前記試験用治具に設置されているかどうかについて判定するように動作可能である、請求項４に記載のエミッションテスト装置。
【請求項９】
前記第１の継手および前記第２の継手が前記試験用治具に設置されない限りは、前記制御装置が、前記第３のバーコードおよび前記第４のバーコードの読み取りを防止する、請求項８に記載のエミッションテスト装置。
【請求項１０】
前記第１の継手および前記第２の継手のうちの１つが入力を供給され、前記第１の継手および前記第２の継手が前記試験用治具に接続されているかどうかについて前記制御装置が判定することを可能にする、請求項８に記載のエミッションテスト装置。
【請求項１１】
フィルターハウジングと、
前記フィルターハウジングの中に選択的に配設されているフィルター媒体であって、前記フィルター媒体を識別するＲＦＩＤタグを含む、フィルター媒体と、
前記フィルター媒体が前記フィルターハウジングの中に配設されている場合に、前記ＲＦＩＤタグによって提供される情報に基づいて、前記フィルターハウジングと前記フィルター媒体をリンクさせるように動作可能な制御装置と
を備える、エミッションテスト装置。
【請求項１２】
前記フィルターハウジングおよび前記フィルター媒体を流体ストリームに選択的に露出させるために前記フィルターハウジングを受け入れる試験用治具をさらに備え、前記フィルターハウジングが、前記フィルターハウジングを識別する第１のバーコードを含み、前記試験用治具が、前記流体ストリームを識別する第２のバーコードを含む、請求項１１に記載のエミッションテスト装置。
【請求項１３】
前記制御装置が、前記第１のバーコードおよび前記第２のバーコードによって提供される情報に基づいて、前記フィルターハウジングを前記試験用治具にリンクさせるように動作可能である、請求項１２に記載のエミッションテスト装置。
【請求項１４】
前記制御装置が、前記第１のバーコード、前記第２のバーコード、および前記ＲＦＩＤタグによって提供される情報に基づいて、前記フィルター媒体を前記試験用治具にリンクさせるように動作可能である、請求項１３に記載のエミッションテスト装置。
【請求項１５】
フィルターキャリアーと、
前記フィルターキャリアーの中に選択的に配設されるフィルター媒体であって、前記フィルター媒体を識別するＲＦＩＤタグを含む、フィルター媒体と、
前記フィルター媒体が前記フィルターキャリアーの中に配設されている場合に、前記ＲＦＩＤタグによって提供される情報に基づいて、前記フィルターキャリアーと前記フィルター媒体をリンクさせるように動作可能な制御装置と
を備える、エミッションテスト装置。
【請求項１６】
前記フィルターキャリアーおよび前記フィルター媒体を流体ストリームに選択的に露出させるために前記フィルターキャリアーを受け入れる試験用治具をさらに備え、前記試験用治具が、前記流体ストリームを識別する第１のバーコードを含む、請求項１５に記載のエミッションテスト装置。
【請求項１７】
前記フィルターキャリアーが、前記フィルターキャリアーを識別する第２のバーコードを含み、前記制御装置が、前記第１のバーコードおよび前記第２のバーコードによって提供される情報に基づいて、前記フィルターキャリアーを前記試験用治具にリンクさせるように動作可能である、請求項１６に記載のエミッションテスト装置。
【請求項１８】
前記制御装置が、前記第１のバーコード、前記第２のバーコード、および前記ＲＦＩＤタグによって提供される情報に基づいて、前記フィルター媒体を前記試験用治具にリンクさせるように動作可能である、請求項１７に記載のエミッションテスト装置。
【請求項１９】
前記フィルターハウジングを識別する第１のＲＦＩＤタグおよび第１のバーコードのうちの少なくとも１つを有する、フィルターキャリアーと、
前記フィルターキャリアーの中に選択的に配設されるフィルター媒体であって、前記フィルター媒体を識別する第２のＲＦＩＤタグおよび第２のバーコードのうちの少なくとも１つを含む、フィルター媒体と、
前記フィルター媒体が前記フィルターキャリアーの中に配設されている場合に、前記第１のＲＦＩＤタグおよび前記第１のバーコードのうちの前記少なくとも１つ、ならびに、前記第２のＲＦＩＤタグおよび前記第２のバーコードのうちの前記少なくとも１つによって提供される情報に基づいて、前記フィルターキャリアーと前記フィルター媒体をリンクさせるように動作可能な制御装置と
を備える、エミッションテスト装置。
【請求項２０】
前記フィルターキャリアーおよび前記フィルター媒体を流体ストリームに選択的に露出させるために前記フィルターキャリアーを受け入れる試験用治具をさらに備え、前記試験用治具が、前記流体ストリームを識別する第３のバーコードを含む、請求項１９に記載のエミッションテスト装置。
【請求項２１】
前記制御装置が、前記第１のＲＦＩＤタグおよび前記第１のバーコードのうちの前記少なくとも１つならびに前記第３のバーコードによって提供される情報に基づいて、前記フィルターキャリアーを前記試験用治具にリンクさせるように動作可能である、請求項２０に記載のエミッションテスト装置。
【請求項２２】
前記制御装置が、前記第１のＲＦＩＤタグおよび第１のバーコードのうちの前記少なくとも１つ、前記第２のＲＦＩＤタグおよび第２のバーコードのうちの前記少なくとも１つ、ならびに前記第３のバーコードによって提供される情報に基づいて、前記フィルター媒体を前記試験用治具にリンクさせるように動作可能である、請求項２１に記載のエミッションテスト装置。
【請求項２３】
エミッションテスト装置のフィルターハウジングを識別するステップと、
前記フィルターハウジングの中に配設されているフィルター媒体を識別するステップと、
制御装置によって、前記フィルター媒体を前記フィルターハウジングにリンクさせるステップと、
前記エミッションテスト装置の試験用治具に前記フィルターハウジングを設置するステップと、
前記試験用治具への前記フィルターハウジングの前記設置するステップに続いて、前記フィルターハウジングを識別するステップと、
前記試験用治具を識別するステップと、
前記制御装置によって、前記フィルターハウジングを前記試験用治具にリンクさせるステップと
を備える、方法。
【請求項２４】
前記フィルターハウジングを識別する前記ステップが、前記フィルターハウジングに関連付けられた第１のバーコードを読み取るステップを含む、請求項２３に記載の方法。
【請求項２５】
前記フィルター媒体を識別する前記ステップが、前記フィルター媒体に関連付けられた第２のバーコードを読み取るステップを含む、請求項２４に記載の方法。
【請求項２６】
前記試験用治具への前記フィルターハウジングの前記設置に続いて、前記フィルターハウジングを識別する前記ステップが、前記フィルターハウジングに関連付けられた第３のバーコードを読み取るステップを含む、請求項２３に記載の方法。
【請求項２７】
前記試験用治具を識別する前記ステップが、前記試験用治具に関連付けられた第４のバーコードを読み取るステップを含む、請求項２６に記載の方法。
【請求項２８】
前記制御装置によって、前記フィルターハウジングが前記試験用治具に設置されているかどうかについて判定するステップをさらに備える、請求項２７に記載の方法。
【請求項２９】
前記フィルターハウジングが前記試験用治具に設置されるまで、前記制御装置によって、前記フィルターハウジングと前記試験用治具をリンクさせる前記ステップを防止するステップをさらに備える、請求項２８に記載の方法。
【請求項３０】
前記フィルターハウジングが前記試験用治具に設置されているかどうかについて判定する前記ステップが、前記制御装置によって前記フィルターハウジングの継手に信号を供給するステップを含む、請求項２８に記載の方法。
【請求項３１】
前記フィルター媒体が前記フィルターハウジングにリンク付けされ、前記フィルターハウジングが前記試験用治具にリンク付けされると、前記制御装置によって、前記フィルター媒体を前記試験用治具にリンクさせるステップをさらに備える、請求項２３に記載の方法。
【請求項３２】
前記フィルターハウジングを特定のテストにリンクさせるステップをさらに備える、請求項２３に記載の方法。
【請求項３３】
前記フィルターハウジングを特定のテストにリンクさせるステップが、前記フィルターハウジングを前記テストの特定のセグメントにリンクさせるステップを含む、請求項３２に記載の方法。
【請求項３４】
制御装置によって、フィルターハウジングがエミッションテスト装置の試験用治具に設置されているかどうかについて判定するステップと、
前記フィルターハウジングを識別するステップと、
前記試験用治具を識別するステップと、
前記フィルターハウジングが前記試験用治具に設置されているかどうかについて判定する前記ステップに続いて、前記制御装置によって、前記フィルターハウジングを前記試験用治具にリンクさせるステップと、
前記フィルターハウジングが前記試験用治具に設置されていない場合には、前記制御装置によってリンクさせる前記ステップを防止するステップと
を備える、方法。
【請求項３５】
前記フィルターハウジングを識別する前記ステップが、前記フィルターハウジングに関連付けられた第１のバーコードを読み取るステップを含む、請求項３４に記載の方法。
【請求項３６】
前記試験用治具を識別する前記ステップが、前記試験用治具に関連付けられた第２のバーコードを読み取るステップを含む、請求項３５に記載の方法。
【請求項３７】
前記第１のバーコードを読み取る前記ステップ、および、前記第２のバーコードを読み取る前記ステップが、前記第１のバーコードおよび前記第２のバーコードを同時に読み取るステップを含む、請求項３６に記載の方法。
【発明の詳細な説明】
【技術分野】
【０００１】
関連出願の相互参照
本出願は、２０１２年６月２５日に出願された米国仮出願第６１／６６３，９６６号の利益を主張する。上記出願の開示全体は、参照により本明細書に組み込まれている。
【０００２】
本開示は、エミッション測定機器に関し、より具体的には、エミッション測定機器によって作成されるテスト結果の精度および完全性を向上させる、エミッション測定機器を動作させる方法に関する。
【背景技術】
【０００３】
本章は、本開示に関する背景情報を提供するが、それは、必ずしも先行技術ではない。
【０００４】
内燃エンジンは、多種多様な用途で使用され、大型車両にも小型車両にも同様に原動力を提供する。特定の車両に加えられる原動力は、エンジンの燃焼室の中において、酸化剤を有する燃料の燃焼によって実現される。燃焼室の中での燃料／酸化剤の混合物の燃焼は、燃焼室の中の温度および圧力を上昇させ、それによって、エンジンのエレメント（すなわち、自動車のピストンおよびクランクシャフト）を駆動し、車両を前方に推進させる。
【０００５】
燃焼室の中の燃料／酸化剤の燃焼は、車両を駆動するのに十分な動力を提供するが、燃焼プロセスは、排気ガスを結果として生じさせ、排気ガスは、典型的に、車両の排気パイプを介して大気中に排出される。そのような排気ガスは、典型的に、粒子状物質を含み、粒子状物質は、エンジンからの排気が大気と混合するときに形成される。具体的には、排気ガスが大気と混合するときに、排気ガスの中に存在する燃焼生成物（すなわち、すす、炭化水素、硫酸塩、硝酸塩、および灰）は、吸着、凝縮、および凝集の生理化学的なプロセスを介して、様々なサイズの粒子になる。
【０００６】
ディーゼルエンジンおよび直接噴射式ガソリンエンジンなどのような内燃エンジンの排気ガスからの微粒子のエミッションは、米国および国外の両方の様々な規制機関によって制限されている。内燃エンジンからのエミッションを抑制することに関与する規制機関は、排気ガス、および、排気ガスの中に結果として起こる粒子状物質をテストするための様々な測定方法論および基準を公布している。１つのそのような測定方法論は、制御された状態で、排気ガスのサンプルを大気と混合させること、および、希釈させることを含む。排気ガスおよび空気のフローは、微粒子フィルターを通過し、微粒子フィルターは、その後に分析され、フィルターによって収集された粒子状物質の重量を決定する。
【０００７】
フィルター上の排気ガス／空気の混合物からの粒子状物質を収集することは、排気ガスの中に含有される粒子状物質の量を決定するための正確な方法論を提供するが、フィルターが特定のテストフローに適正に対応していない場合には、そのような測定の完全性が損なわれることが多い。たとえば、エミッション測定テスト装置は、連邦試験手順７５（ＦＴＰ−７５）によって要求されるように、３つのフェーズを含む可能性があり、結果として、３つのフィルター媒体にそれぞれ関連付けられた３つの流体テストストリームを同様に含む可能性がある。エミッションテストの前に、エミッションテストの間に、および、エミッションテストの後に、それぞれのフィルター媒体を特定のフェーズに適正に割り当てることは、それぞれのフィルター媒体の重量測定データが特定のフェーズに適正に結び付けられるということを確実にするために必須である。
【０００８】
フィルター媒体が、エミッションテストの様々なフェーズに適正に割り当てられていない場合には、結果として生じるデータ（したがって、エンジンに関して報告されるエミッション）は、不正確である可能性がある。不正確なテスト結果により、エンジンが特定の規格を不合格になり、したがって、認証を満たすことができないという結果を生じさせる可能性がある。したがって、エミッションテスト装置の中へ挿入され、エミッションテスト装置から除去されるそれぞれのフィルター媒体が、テストの実施の前に、および、テストの実施に続いて、エミッションテストの特定のフェーズに適正に割り当てられることを確実にし、正確で信頼性の高い結果を確実にするために、エミッションテストを実施する際には注意が払われなければならない。
【発明の概要】
【課題を解決するための手段】
【０００９】
この章は、本開示の一般的な概要を提供しており、その全範囲またはその特徴のすべての包括的な開示ではない。
【００１０】
エミッションテスト装置が提供され、エミッションテスト装置は、フィルターハウジングを含むことが可能であり、フィルターハウジングは、フィルターハウジングを識別する第１のＲＦＩＤタグおよび第１のバーコードのうちの少なくとも１つ有している。フィルター媒体は、フィルターハウジングの中に選択的に配設され得、フィルター媒体を識別する第２のＲＦＩＤタグおよび第２のバーコードのうちの少なくとも１つを含むことが可能である。制御装置は、フィルター媒体がフィルターハウジングの中に配設されている場合に、第１のＲＦＩＤタグおよび第１のバーコードのうちの少なくとも１つ、ならびに、第２のＲＦＩＤタグおよび第２のバーコードのうちの少なくとも１つによって提供される情報に基づいて、フィルターハウジングとフィルター媒体をリンクさせることが可能である。
【００１１】
別の構成では、エミッションテスト装置が提供され、エミッションテスト装置は、フィルターハウジングと、フィルターハウジングの中に選択的に配設されているフィルター媒体とを含むことが可能である。フィルター媒体は、フィルター媒体を識別するＲＦＩＤタグを含むことが可能である。制御装置は、フィルター媒体がフィルターハウジングの中に配設されている場合に、ＲＦＩＤタグによって提供される情報に基づいて、フィルターハウジングとフィルター媒体をリンクさせることが可能である。
【００１２】
別の構成では、エミッションテスト装置が提供され、エミッションテスト装置は、フィルターキャリアーと、フィルターキャリアーの中に選択的に配設されるフィルター媒体とを含むことが可能である。フィルター媒体は、フィルター媒体を識別するＲＦＩＤタグを含むことが可能である。制御装置は、フィルター媒体がフィルターキャリアーの中に配設されている場合に、ＲＦＩＤタグによって提供される情報に基づいて、フィルターキャリアーとフィルター媒体をリンクさせることが可能である。
【００１３】
別の構成では、エミッションテスト装置が提供され、エミッションテスト装置は、フィルターキャリアーを含むことが可能であり、フィルターキャリアーは、フィルターハウジングを識別する第１のＲＦＩＤタグおよび第１のバーコードのうちの少なくとも１つを有している。フィルター媒体は、フィルターキャリアーの中に選択的に配設され得、フィルター媒体を識別する第２のＲＦＩＤタグおよび第２のバーコードのうちの少なくとも１つを含むことが可能である。制御装置は、フィルター媒体がフィルターキャリアーの中に配設されている場合に、第１のＲＦＩＤタグおよび第１のバーコードのうちの少なくとも１つ、ならびに、第２のＲＦＩＤタグおよび第２のバーコードのうちの少なくとも１つによって提供される情報に基づいて、フィルターキャリアーとフィルター媒体をリンクさせることが可能である。
【００１４】
方法が提供され、方法は、エミッションテスト装置のフィルターハウジングを識別するステップと、フィルターハウジングの中に配設されているフィルター媒体を識別するステップとを含むことが可能である。方法は、制御装置によって、フィルター媒体をフィルターハウジングにリンクさせるステップと、エミッションテスト装置の試験用治具にフィルターハウジングを設置するステップと、試験用治具へのフィルターハウジングの設置に続いて、フィルターハウジングを識別するステップとをさらに含むことが可能である。方法は、試験用治具を識別するステップと、制御装置によって、フィルターハウジングを試験用治具にリンクさせるステップとをさらに含むことが可能である。
【００１５】
別の構成では、方法が提供され、方法は、制御装置によって、フィルターハウジングがエミッションテスト装置の試験用治具に設置されているかどうかについて判定するステップを含むことが可能である。方法は、フィルターハウジングを識別するステップと、試験用治具を識別するステップと、試験用治具にフィルターハウジングが設置されているかどうかについての判定に続いて、制御装置によって、フィルターハウジングを試験用治具にリンクさせるステップとをさらに含むことが可能である。方法は、フィルターハウジングが試験用治具に設置されていない場合には、制御装置によってフィルターハウジングを試験用治具にリンクさせるステップを防止するステップをさらに含むことが可能である。
【００１６】
適用可能性のさらなる領域は、本明細書で提供されている説明から明らかになることとなる。本概要の中の説明および特定の例は、単なる図示の目的のためのものであることを意図しており、本開示の範囲を限定することを意図していない。
【００１７】
本明細書で説明されている図面は、選択された実施形態の単なる例示目的のためのものであり、すべての可能性のある実装形態ではなく、本開示の範囲を限定することを意図していない。
【図面の簡単な説明】
【００１８】
【図１】本開示の原理によるフィルターハウジングの斜視図である。
【図２】本開示の原理によるフィルターハウジングの斜視図である。
【図３】図１のフィルターハウジングの部分分解図である。
【図４】図１のフィルターハウジングの部分分解図である。
【図５】図１のフィルターハウジングの上面図である。
【図６】図５の線６−６に沿って見た図１のフィルターハウジングの断面図である。
【図７】図１のフィルターハウジングを組み込んでいる、本開示の原理によるエミッションテスト装置の部分分解図である。
【図８】本開示の原理によるエミッション測定装置の動作を詳細に示すフローチャートである。
【図９Ａ】本開示の原理によるエミッション測定装置の動作を詳細に示すフローチャートである。
【図９Ｂ】本開示の原理によるエミッション測定装置の動作を詳細に示すフローチャートである。
【発明を実施するための形態】
【００１９】
対応する参照番号は、図面のいくつかの図を通して、対応する部品を示している。
【００２０】
ここで、例示的な実施形態が、添付の図面を参照して、より十分に説明されることとなる。
【００２１】
例示的な実施形態は、この開示が完全なものとなるように提供されており、かつ、範囲を当業者に十分に伝達することとなる。特定のコンポーネント、デバイス、および方法の例などのような多数の具体的な詳細が述べられており、本開示の実施形態の完全な理解を提供する。具体的な詳細は、用いられる必要がなく、例示的な実施形態は、多くの異なる形態で具現化することが可能であり、いずれも、本開示の範囲を限定するように構成されるべきではないということが、当業者に明らかになることとなる。いくつかの例示的な実施形態では、よく知られたプロセス、パーツのデバイス構造、および、パーツの技術は、詳細に説明されてはいない。
【００２２】
本明細書で使用されている専門用語は、単に、特定の例示的な実施形態を説明する目的のためのものであり、限定することを意図していない。本明細書で使用されているように、単数形の「１つの（ａ）」、「１つの（ａｎ）」、および、「前記（ｔｈｅ）」は、文脈が別段、明確に示さない限り、複数形も同様に含むことを意図している可能性がある。「備える（ｃｏｍｐｒｉｓｅｓ）」、「備える（ｃｏｍｐｒｉｓｉｎｇ）」、「含む（ｉｎｃｌｕｄｉｎｇ）」、および「有する（ｈａｖｉｎｇ）」の用語は、包含的であり、したがって、述べられている特徴、整数、ステップ、動作、エレメント、および／またはコンポーネントの存在を特定しているが、１つまたは複数の他の特徴、整数、ステップ、動作、エレメント、コンポーネント、および／または、それらのグループの存在または付加を排除していない。本明細書で説明されている方法ステップ、プロセス、および動作は、実施の順序として具体的に識別されていなければ、議論または図示されている特定の順序でそれらを実施することを必ず必要とするものとして解釈されるべきでない。また、追加的なまたは代替的なステップを用いることが可能であるということが理解されるべきである。
【００２３】
エレメントまたは層が、別のエレメントまたは層の「上にある」、「に係合されている」、「に接続されている」、または「に連結されている」と表されている場合には、それは、他のエレメントまたは層の直接的に上にあるか、直接的に係合されているか、直接的に接続されているか、または、直接的に連結されているということである可能性があり、または、介在するエレメントまたは層が存在し得る。それとは対照的に、エレメントが、別のエレメントまたは層の「直接的に上にある」、「に直接的に係合されている」、「に直接的に接続されている」、または、「に直接的に連結されている」と表されている場合には、介在するエレメントまたは層が存在することが可能ではない。エレメント同士の間の関係を説明するために使用される他の語句は、同様の方式で解釈されるべきである（たとえば、「の間に」対「の間に直接的に」、「隣接して」対「直接的に隣接して」など）。本明細書で使用されているように、「および／または」の用語は、関連付けられたリストアップされている項目のうちの１つまたは複数の任意の組合せおよびすべての組合せを含む。
【００２４】
第１、第２、第３などの用語は、様々なエレメント、コンポーネント、領域、層、および／またはセクションを説明するために本明細書で使用することが可能であるが、これらのエレメント、コンポーネント、領域、層、および／またはセクションは、これらの用語によって限定されるべきではない。これらの用語は、単に、あるエレメント、コンポーネント、領域、層、またはセクションを、別の領域、層、またはセクションから区別するために使用されている可能性がある。「第１の」、「第２の」などの用語、および、他の数字の用語は、本明細書で使用されるときに、文脈によって明確に示されていない場合には、シーケンスまたは順序を暗示してはいない。したがって、以下で議論されている第１のエレメント、コンポーネント、領域、層、またはセクションは、例示的な実施形態の教示から逸脱することなく、第２のエレメント、コンポーネント、領域、層、またはセクションと称することが可能である。
【００２５】
「内側」、「外側」、「下」、「下方」、「下側」、「上方」、「上側」などのような、空間的に相対的な用語は、説明をしやすくするために、図に示されているように、別のエレメントまたは特徴に対する１つのエレメントまたは特徴の関係を説明するために本明細書で使用されている可能性がある。空間的に相対的な用語は、図に示されている配向に加えて、使用時または動作時のデバイスの異なる配向を包含するように意図している可能性がある。たとえば、図の中のデバイスがひっくり返される場合には、他のエレメントまたは特徴の「下方」または「下」として説明されているエレメントは、他のエレメントまたは特徴の「上方」に配向させられることとなる。したがって、例示的な用語の「下方」は、上方および下方の配向の両方を包含することが可能である。デバイスをその他に配向させる（９０度または他の配向だけ回転させる）ことが可能であり、本明細書で使用されている空間的に相対的な記述子は、それに応じて解釈される。
【００２６】
図を参照すると、エミッションテスト装置１０（図７）が提供され、エミッションテスト装置１０は、フィルターハウジング１２とフィルター媒体１４とを含むことが可能である。フィルター媒体１４は、フィルターハウジング１２の中に選択的に配設させることが可能であり、また、エミッションテストの間にフィルターハウジング１２と協働し、排気ガスおよび大気を含有する空気流の中に含有される粒子状物質を捕獲することが可能である。
【００２７】
フィルターハウジング１２は、フィルターハウジング１２の内側体積２０（図６）を形成するように協働する第１のハウジング１６および第２のハウジング１８を含むことが可能である。第１のハウジング１６は、第１の端部２２と、第２の端部２４と、第１の端部２２と第２の端部２４との間に延在するテーパー穴２６とを含むことが可能である。第１の端部２２は、継手３０をその中に受け入れる実質的に円筒形状のポート２８を含むことが可能である。第２の端部２４は、第１のハウジング１６の、第１の端部２２とは反対側の端部に配設されており、支持表面３４を画定する凹部３２を含むことが可能である。凹部３２および支持表面３４は、第１のハウジング１６の中にフィルター媒体１４を支持するように協働し、フィルターハウジング１２の内側体積２０の中にフィルター媒体１４を適正に位置決めすることが可能である。第１のハウジング１６は、ラッチ機構３６およびヒンジ３８を追加的に含むことが可能であり、ヒンジ３８は、第１のハウジング１６の、ラッチ機構３６とは反対側に形成されている。
【００２８】
第２のハウジング１８は、第１のハウジング１６に枢動可能に取り付けることが可能であり、また、第１の端部４０と、第２の端部４２と、第１の端部４０と第２の端部４２との間に延在するテーパー穴４４とを含むことが可能である。第１の端部４０は、継手４８をその中に受け入れるポート４６（図６）を含むことが可能である。第１の端部２２の継手３０と同様に、継手４８は、第２のハウジング１８のテーパー穴４４に同様に流体連通している。第２の端部４２は、第２のハウジング１８の、第１の端部４０とは反対側の端部に形成されており、第１のハウジング１６の凹部３２および支持表面３４と協働する支持表面５２を有する凹部５０を含み、フィルター媒体１４をフィルターハウジング１２の中に適正に位置決めおよび支持することが可能である。
【００２９】
第２のハウジング１８は、保持エレメント５４およびヒンジ５６を追加的に含むことが可能であり、ヒンジ５６は、第２のハウジング１８の、保持エレメント５４とは反対側に形成されている。保持エレメント５４は、ラッチ機構３６と選択的に協働し、第１のハウジング１６と第２のハウジング１８との間で相対位置を固定することが可能である。ヒンジ５６は、第１のハウジング１６のヒンジ３８と協働することが可能であり、第１のハウジング１６および第２のハウジング１８が互いに対してヒンジ３８、５６の周りで枢動することを可能にする。具体的には、それぞれ第１のハウジング１６および第２のハウジング１８のヒンジ３８、５６の中を通して、ピン５８（図６）を挿入することが可能であり、第１のハウジング１６および第２のハウジング１８がピン５８の周りで互いに枢動可能に接続されることを可能にする。
【００３０】
フィルター媒体１４は、エンジンからの排気ガスを含有する流体ストリームと関連付けられた粒子状物質を同時に捕獲しながら、空気がフィルター媒体１４を通って流れることを許容する、事実上任意の材料から形成され得る。第１のハウジング６２および第２のハウジング６４を有するフィルターキャリアーまたは「パック」６０によって、フィルター媒体１４をフィルターハウジング１２の中に支持することが可能である。フィルター媒体１４を第１のハウジング６２と第２のハウジング６４との間に位置決めすることが可能であり、第１のハウジング６２が第２のハウジング６４の中へ挿入される場合に、フィルター媒体１４を所定の位置に保持することが可能である。具体的には、第１のハウジング６２は、フィルター媒体１４が第１のハウジング６２と第２のハウジング６４との間に配設された状態で、第２のハウジング６４の中へ圧入することが可能である。第１のハウジング６２と第２のハウジング６４との間の相互作用は、第１のハウジング６２が第２のハウジング６４の中へ圧入される場合、第１のハウジング６２および第２のハウジング６４とともに移動するように、フィルター媒体１４を固定することが可能である。
【００３１】
動作中に、第１のハウジング１６が、ヒンジ３８、５６において、第２のハウジング１８に枢動可能に取り付けられている場合、第１のハウジング１６および第２のハウジング１８の凹部３２、５０の中に、それぞれ、フィルター媒体１４を位置決めすることが可能である。そのように、フィルターキャリアー６０の第１のハウジング６２および第２のハウジング６４は、第１のハウジング１６および第２のハウジング１８の支持表面３４、５２とそれぞれ当接関係にあることが可能である。
【００３２】
フィルターハウジング１２の中において、フィルター媒体１４を所望の位置に保持することが可能であり、第２のハウジング１８に対する第１のハウジング１６の位置を固定するために、ラッチ機構３６が保持エレメント５４に係合する場合に、第１のハウジング６２が支持表面３４と当接関係にあり、第２のハウジング６４が支持表面５２と当接関係にあるようになっている。たとえば、ラッチ機構３６が保持エレメント５４に係合する場合に、力が、第２のハウジング１８に「Ｚ」方向（図６）に加えられ、第１のハウジング１６と第２のハウジング１８との間にフィルター媒体１４を締め付けることが可能である。ラッチ機構３６が、ラッチ係合(latched)状態（図６）からラッチ解除(unlatched)状態（図示せず）へ移動させられ、第１のハウジング１６に対する第２のハウジング１８の枢動をもう一度許容するまで、フィルター媒体１４に加えられる力が維持される。
【００３３】
ラッチ機構３６がラッチ係合状態にあり、第１のハウジング１６の第２の端部２４が第２のハウジング１８の第２の端部４２と当接関係にあるようになっている場合に、第１のハウジング１６は、第２のハウジング１８に流体連結されている。そのように、第１のハウジング１６に関連付けられた継手３０は、第２のハウジング１８に関連付けられた継手４８に流体連結されており、第１のハウジング１６、第２のハウジング１８、継手３０、および継手４８が、フィルターハウジング１２の長手方向軸線６６に沿って互いに流体連結されるようになっている。
【００３４】
とりわけ図７を参照すると、エミッションテスト装置１０は、サイクロン６８および制御キャビネット７０を含むように示されている。サイクロン６８は、内燃エンジン７２に取り付けられ、エンジン７２のエミッションをテストすることが可能である。サイクロン６８は、エンジン７２からの排気ガスを受け入れることが可能であり、テストする前に排気ガスを希釈させるために、排気ガスを大気と混合させることが可能である。サイクロン６８は、１つまたは複数の流体ストリームを作り出すことが可能であり、それぞれの流体ストリームをそれぞれのフィルターハウジング１２に方向付けすることが可能である。１つの構成では、サイクロン６８は、３つの流体ストリームを生成させ、３つのフェーズ（ＦＴＰ−７５に従ってコールドスタートフェーズ、トランジェントフェーズ、およびホットスタートフェーズ）でエンジン７２をテストする。サイクロン６８が、先述のフェーズを発生させるために３つの流体ストリームを発生させる場合には、それぞれの流体ストリームは、フィルター媒体１４がその中に配設されたフィルターハウジング１２を含むこととなる。
【００３５】
制御キャビネット７０は、真空部７４を含むことが可能であり、真空部７４は、フィルターハウジング１２がサイクロン６８および制御キャビネット７０に取り付けられている場合に、サイクロン６８からフィルターハウジング１２を通して排気ガス／大気の混合物を引き込む。制御キャビネット７０は、サイクロン６８および／または真空部７４の動作を制御する制御装置７６を追加的に含むことが可能である。
【００３６】
動作中に、継手３０、４８において、フィルターハウジング１２をサイクロン６８および制御キャビネット７０に取り付けることが可能である。具体的には、第１のハウジング１６および第２のハウジング１８とそれぞれ関連付けられた継手３０、４８は、クイックコネクト継手とすることが可能であり、クイックコネクト継手は、フィルターハウジング１２がサイクロン６８および制御キャビネット７０に迅速に接続すること、および、それらから取り外されることを可能にする。そのように、サイクロン６８は、第１のハウジング１６の継手３０に選択的に接続される継手７８を含むことが可能であり、制御キャビネット７０は、第２のハウジング１８の継手４８に選択的に接続される継手８０を含むことが可能であり、フィルターハウジング１２が、サイクロン６８および制御キャビネット７０に、容易におよび迅速に接続されることを可能にする。
【００３７】
１つの構成では、制御キャビネット７０に関連付けられた継手８０は、可撓性の流体ライン８２を含むことが可能であり、流体ライン８２は、継手８０がフィルターハウジング１２に対して移動可能となることを可能にし、サイクロン６８の継手７８への、および、制御キャビネット７０の継手８０への、フィルターハウジング１２の取り付けを容易にする。第１のハウジング１６の継手３０が継手７８に接続され、第２のハウジング１８の継手４８が継手８０に接続されると、サイクロン６８は、フィルターハウジング１２を介して制御キャビネット７０の真空部７４に流体連結される。
【００３８】
テストは、排気ガスを作り出すために内燃エンジン７２を始動させることによって実施することが可能である。排気ガスは、サイクロン６８によって受け入れられ、サイクロン６８は、排気ガスを大気と混合させ、継手７８に到達する前にガスを希釈させる。制御キャビネット７０に関連付けられた真空部７４によって排気ガス／大気の混合物に与えられる力に起因して、排気ガス／大気の混合物は、フィルターハウジング１２を通して引き込まれる。排気ガス／大気の混合物は、フィルターハウジング１２の内側体積２０の中へ引き込まれ、フィルター媒体１４を通過する。具体的には、排気ガス／大気の混合物は、第１のハウジング１６のテーパー穴２６の形状に起因して、フィルター媒体１４に向かって押し込まれ、同様に、排気ガス／大気の混合物がフィルター媒体１４を通過した後に、テーパー穴４４によって、継手４８に方向付けされる。
【００３９】
排気ガス／大気の混合物は、継手４８においてフィルターハウジング１２を出ていき、流体ライン８２を介して制御キャビネット７０に進入する。排気ガス／大気の混合物の所定の体積がフィルター媒体１４を通過すると、エンジン７２が停止させられ、フィルターハウジング１２を継手７８、８０から取り外すことが可能である。この時点において、ラッチ機構３６は、ラッチ解除状態となるように移動させられ、第１のハウジング１６と第２のハウジング１８との間の枢動移動を可能にし、フィルターキャリアー６０（ひいては、フィルター媒体１４）をフィルターハウジング１２から除去することを可能にする。
【００４０】
フィルター媒体１４は、フィルターキャリアー６０の第１のハウジング６２および第２のハウジング６４から除去することが可能であり、フィルター媒体１４を計量することを可能にする。フィルター媒体１４の重量は、フィルター媒体１４のテスト前重量と比較され、エミッションテストの間にフィルター媒体１４によって収集された粒子状物質の重量を決定する。フィルター媒体１４の重量は、エミッションテストの間に排気ガス／大気の混合物がフィルター媒体１４を通って流れる前のフィルター媒体１４の重量と比較され、フィルター媒体１４によって収集された粒子状物質の重量を決定し、したがって、内燃エンジン７２の動作によって生成される粒子状物質の量を決定する。フィルター媒体１４の重量、および、エミッションテストの特定のフェーズは、内燃エンジン７２の全体的なエミッションを決定する際に使用するために記録される。
【００４１】
したがって、以上に説明されているように、フィルター媒体１４は、フィルターハウジング１２とともに使用され、エミッションテストの特定のフェーズに関して、内燃エンジン７２のエミッションを決定することが可能である。さらに、いくつかのフィルターハウジング１２（それぞれが、フィルター媒体１４を含有する）は、３つの流体ストリームをテストするために使用され、たとえば、内燃エンジンのＦＴＰ−７５への準拠性を判定することが可能である。そのように行う場合に、それぞれの特定のフィルターハウジング１２およびそれぞれの流体ストリームに割り当てられたフィルター媒体１４は、それぞれのフェーズの正確な測定を得るために記録されなければならない。すなわち、粒子状物質の重量がＦＴＰ−７５測定基準の特定のフェーズに適正に結び付けられることを可能にするために、それぞれのフィルター媒体１４（ひいては、フィルター媒体１４によって収集された結果として生じる粒子状物質）は、特定のフィルターハウジング１２および特定の流体ストリームに適正に割り当てられなければならない。
【００４２】
エミッションテスト装置１０は、識別システムを含むことが可能であり、識別システムは、フィルター媒体１４が、特定のフィルターハウジング１２に適正に割り当てられ、リンク付けされることを可能にし、さらに、特定のフィルターハウジング１２が、特定の空気フローに適正に割り当てられ、リンク付けされることを可能にする。１つの構成では、フィルター媒体１４は、バーコード８４（図３）を含むことが可能であり、バーコード８４は、フィルター媒体１４を識別し、フィルター媒体１４に特定の識別子を割り当てる。同様に、フィルターハウジング１２の第１のハウジング１６および第２のハウジング１８のうちの１つは、凹部３２の近位に配設されている第１のバーコード８６と、フィルターハウジング１２の内側体積２０から外部に位置付けされている第２のバーコード８８とを含むことが可能である。バーコード８６、８８のそれぞれは、第１のハウジング１６（ひいては、特定のフィルターハウジング１２）を識別し、フィルターハウジング１２に特定の識別子を割り当てる。
【００４３】
また、フィルターキャリアー６０は、１つまたは複数のバーコード８５を含み、特定のフィルターキャリアー６０を識別し、フィルターキャリアー６０に特定の識別子を割り当てることが可能である。１つの構成では、フィルターキャリアー６０は、異なる場所に互いに対して異なる角度で位置決めされている２つのバーコード８５（図３）を含む。異なる場所および／または異なる角度にバーコード８５を位置決めすることは、バーコード８５を読み取ることを容易にする。
【００４４】
最後に、また、エミッションテスト装置１０のそれぞれの流体ストリームは、それぞれの流体ストリームを識別するバーコード９０（図７）を含むことが可能である。たとえば、エミッションテスト装置１０が、３つの異なる試験用治具を利用することによって、３つの別々の流体ストリームをテストするように構成されており、試験用治具が、それぞれ、サイクロン６８に連結されている継手７８と、制御キャビネット７０の真空部７４に接続されている継手８０とを有している場合には、それぞれの流体ストリームが、特定の試験用治具の上に位置付けされているバーコード９０に割り当てられ、それぞれの空気フローに識別子を割り当て、様々な試験用治具、ならびに、関連付けられた流体ストリームおよびフェーズの間を区別することが可能である。バーコード９０は、フィルターハウジング１２の近位の試験用治具の上に位置付けさせることが可能であり、バーコード９０が、フィルターハウジング１２の第１のハウジング１６の外部表面の上に位置付けされているバーコード８８の近位に位置付けされるようになっている。
【００４５】
フィルター媒体１４、フィルターハウジング１２、フィルターキャリアー６０、および、テスト装置１０の流体ストリームは、バーコード８４、８５、８６、８８、９０をそれぞれ含むものとして説明されているが、他の識別の形態が使用され、フィルター媒体１４、フィルターハウジング１２、フィルターキャリアー６０、および、テスト装置１０の流体ストリームのそれぞれに特定の識別子を割り当てることが可能である。すなわち、無線自動識別（ＲＦＩＤ）が使用され、バーコード８４、８５、８６、８８、９０に加えて、または、バーコード８４、８５、８６、８８、９０に代えて、フィルターハウジング１２、フィルター媒体１４、フィルターキャリアー６０、および流体ストリームのうちのいずれか１つまたはそれぞれを識別することが可能である。たとえば、フィルター媒体１４には、バーコード８４に代えて、または、バーコード８４に加えて、ＲＦＩＤタグ１００（図３）を設けることが可能である。ＲＦＩＤタグ１００は、テスト装置１０に関連付けられたＲＦＩＤリーダー１０２（図７）によって読み取ることが可能であり、ＲＦＩＤリーダー１０２は、有線通信または無線通信を介して制御装置７６に特定のフィルター媒体１４を識別することが可能である。
【００４６】
とりわけ図８を参照して、エミッションテスト装置１０の動作が、詳細に説明されることとなる。内燃エンジン７２が、サイクロン６８に取り付けられ、制御キャビネット７０が、特定のエミッションテストを行うように構成されると、フィルター媒体１４は、９２において、手動で記録することが可能であるか、または、代替的に、バーコード８４をスキャンすることによって、制御装置７６によって記録することが可能である。フィルター媒体１４がＲＦＩＤタグ１００を含む場合には、制御装置７６は、ＲＦＩＤタグ１００がＲＦＩＤリーダー１０２の近位に持っていかれる場合に、ＲＦＩＤリーダー１０２によって提供される情報に基づいて、フィルター媒体１４を記録することが可能である。フィルター媒体１４は、手動でＲＦＩＤリーダー１０２の近位に持っていくことが可能であるか、または、代替的に、フィルターキャリアー６０がオートメーション(automation)（図示せず）を介して輸送される場合には、ＲＦＩＤリーダー１０２のそばを通ることが可能である。
【００４７】
フィルター媒体１４の識別に続いて、フィルター媒体１４は、９４において、フィルター媒体１４のテスト前重量を得るために計量することが可能である。計量されると、制御装置７６は、９６において、空の重量にフィルター識別を割り当てることが可能であり、９８において、特定のフィルター媒体１４のバーコード８４は、もう一度読み取られ、フィルター媒体１４の重量にリンクさせることが可能である。フィルター媒体１４は、追加的にまたは代替的に、（存在する場合には）ＲＦＩＤを介してリンクさせることが可能である。
【００４８】
９８におけるフィルター媒体１４の識別に続いて、１００において、フィルター媒体１４に関連付けられたフィルターキャリアー６０、および、フィルター媒体１４がその中に設置されるフィルターハウジング１２も、手動で識別することが可能であり、または、代替的に、フィルターキャリアー６０およびフィルターハウジング１２に関連付けられたバーコード８５、８６をそれぞれスキャンすることによって、識別することが可能である。フィルターハウジング１２が手動で識別された後に、または、代替的に、バーコード８５、８６がスキャンされた後に、１０２において、制御装置７６は、フィルターハウジング１２の識別を、フィルター媒体１４およびフィルターキャリアー６０の識別に関連付け、フィルター媒体１４およびフィルターキャリアー６０を特定のフィルターハウジング１２にリンクさせることが可能である。制御装置７６が、フィルターハウジング１２の識別を、特定のフィルター媒体１４およびフィルターキャリアー６０にリンクさせると、フィルター媒体１４およびフィルターキャリアー６０をフィルターハウジング１２の中へ搭載することが可能であり、ラッチ機構３６を、ラッチ係合状態へ移動させることが可能である。
【００４９】
フィルター媒体１４およびフィルターキャリアー６０は、フィルターハウジング１２の中へ手動で搭載させることが可能である。代替的に、オートメーションが使用され、フィルター媒体１４およびフィルターキャリアー６０をフィルターハウジング１２の中に搭載することが可能である。オートメーションが使用され、フィルター媒体１４およびフィルターキャリアー６０をフィルターハウジング１２の中へ搭載する場合には、制御装置７６は、ＲＦＩＤリーダー１０２のそばにフィルター媒体１４を通すようにオートメーションに命令することが可能であり、ＲＦＩＤリーダー１０２が、（存在する場合には）ＲＦＩＤタグ１００を介して、フィルター媒体１４を読み取って識別することを可能にする。
【００５０】
フィルター媒体１４およびフィルターキャリアー６０が、（手動で、または、オートメーションを介して、のいずれかで）フィルターハウジング１２の中へ搭載されると、フィルターハウジング１２をサイクロン６８に流体連結させることが可能である。具体的には、１０４において、フィルターハウジング１２（フィルター媒体１４およびフィルターキャリアー６０を含む）を、継手７８、８０を介して、サイクロン６８および制御キャビネット７０に流体連結させることが可能である。
【００５１】
第１のハウジング１６の継手３０が、サイクロン６８に関連付けられた継手７８に取り付けられ、第２のハウジング１８の継手４８が、制御キャビネット７０に関連付けられた継手８０に取り付けられると、１０６において、バーコード８８をスキャンすることによって、フィルターハウジング１２を識別することが可能である。同様に、１０８において、流体ストリームに関連付けられたバーコード９０が、同様に読み取られ、特定の流体ストリームを識別することが可能である。１１０において、特定のフィルターハウジング１２の識別、および、特定の流体ストリーム／試験用治具の識別を、制御装置７６によって互いに関連付けることが可能である。この時点では、バーコード８４を介して、および／または、ＲＦＩＤタグ１００を介して、フィルター媒体１４を識別すること、ならびに、バーコード８６を介してフィルターハウジング１２を識別することは、フィルターハウジング１２をフィルター媒体１４にリンクさせる。同様に、バーコード８８を介して特定のフィルターハウジング１２を識別すること、および、バーコード９０を介して特定の流体ストリームを識別することは、特定のフィルターハウジング１２を流体ストリームにリンクさせる。そのように、フィルター媒体１４および流体ストリームのそれぞれが、特定のフィルターハウジング１２にリンク付けされるので、流体ストリームをフィルター媒体１４にリンクさせることが可能である。１１２において、制御装置７６によって、先述の情報を記録および保存することが可能である。
【００５２】
制御装置７６によって、フィルター媒体１４が、特定のフィルターハウジング１２にリンク付けされ、特定のフィルターハウジング１２が、特定の流体ストリームにリンク付けされると、制御装置７６は、装置１０の中にリークが存在しないようにエミッションテスト装置１０が適正に構成されているということを判定することが可能である。制御装置７６は、たとえば、継手８０にデジタル入力信号を供給することによって、フィルターハウジング１２が継手７８、８０の中に適正に設置されていることを判定することが可能である。継手８０がフィルターハウジング１２に接続され、そして、フィルターハウジング１２が継手７８に接続されているので、継手７８がグランドにあり、継手７８がフィルターハウジング１２に適正に接続され、フィルターハウジング１２が継手８０に適正に接続されている場合には、制御装置７６は、１１４において、フィルターハウジング１２が継手７８および継手８０に適正に接続されているということを判定することが可能である。
【００５３】
制御装置７６は、フィルターハウジング１２が設置されている特定の流体ストリームをチェックすることが可能であるが、エミッションテスト装置１０の他の流体ストリームが、フィルターハウジング１２に流体連結されるか、または、代替的に、キャップをされるか、のいずれかとなるまで、テストを開始させることはできない。エミッションテスト装置１０が、３つのテストストリームを含むが、たとえば、２つのフィルターハウジング１２だけがテストを受ける場合には、真空部７４が、排気ガス／大気の混合物をフィルターハウジング１２の中へ引き込むことなく、サイクロン６８を通してテストチャンバー（図示せず）の中へ排気ガス／大気の混合物を引き込むことを防止するために、第３の流体ストリームはキャップをされなければならない。したがって、特定の流体ストリームが、現在テストを受けていない場合には（すなわち、特定の流体ストリームが、フィルターハウジング１２に流体接続されていない場合には）、キャップ１１６（図７）を継手７８に接続させることが可能である。継手３０と同様の様式で、キャップ１１６を継手７８に取り付けることが可能であり、キャップ１１６は、継手７８を通る流体連通を防止する。キャップ１１６は、継手８０と同様の方式で、制御装置７６によって、デジタル入力を供給され、キャップ１１６が継手７８に取り付けられているかどうかを判定することが可能である。
【００５４】
サイクロン６８に関連付けられている流体ストリームのそれぞれが、キャップ１１６に接続されていることを確認されると、または、代替的に、フィルターハウジング１２に適正に接続されると、制御装置７６は、１１８において、エミッションテストを実行することが可能である。上記に説明されているように、エミッションテストは、エンジン７２を始動させること、および、排気ガスをサイクロン６８の中へ流入させることを含み、サイクロン６８において、排気ガスが大気と混合させられる。排気ガスおよび大気の混合物は、制御キャビネット７０に関連付けられた真空部７４によって与えられる力を介して、継手７８を通して、フィルターハウジング１２の中へ引き込まれる。排気ガス／大気は、フィルター媒体１４を通して引き込まれ、排気ガスの中で処理された粒子状物質が、フィルター媒体１４の上に収集する。
【００５５】
制御装置７６によって、特定のテスト、または、テストのセグメントを特定のフィルター媒体１４にリンクさせることが可能である。たとえば、フィルター媒体１４が、テストの一部分（すなわち、テストセグメント）のために使用される場合には、バーコード８４をスキャンすることによって、および／または、ＲＦＩＤタグ１００を読み取ることによって、ならびに、特定のフィルター媒体１４をテストセグメントにリンクさせることによって、特定のフィルター媒体１４を特定のテストセグメントにリンクさせることが可能である。このように、フィルター媒体１４を、テストの特定の部分またはセグメントに適正に結び付けることが可能である。フィルター媒体１４は、テストセグメントにリンク付けされるものとして説明されているが、フィルター媒体１４をテスト全体の長さにリンクさせることが可能である。
【００５６】
テストに続いて、フィルターハウジング１２を継手７８、８０から取り外すことが可能であり、ラッチ機構３６をラッチ解除状態へ移動させることが可能である。第１のハウジング１６を第２のハウジング１８に対して枢動させることが可能であり、フィルターキャリアー６０（ひいては、フィルター媒体１４）を、フィルターハウジング１２から除去することを可能にする。第１のハウジング６２を第２のハウジング６４から分離することが可能であり、フィルター媒体１４をフィルターキャリアー６０から除去することが可能である。この時点で、１２０において、フィルター媒体１４を計量することが可能であり、制御装置７６によって重量を記録することが可能である。次いで、制御装置７６は、１２２において、テスト後のフィルターの重量をフィルターＩＤに関連付けまたはリンクさせることが可能であり、その後に、１２４において、エンジン７２のエミッションを計算することが可能である。フィルター媒体１４およびフィルターキャリアー６０を搭載することと同様に、フィルター媒体１４およびフィルターキャリアー６０の除去は、手動で、または、オートメーションを介して自動的に、実施することが可能である。
【００５７】
上記に説明されているように、フィルターハウジング１２、フィルター媒体１４、フィルターキャリアー６０、および流体ストリームのバーコード８４、８６、８５、８８、９０のそれぞれは、制御装置７６によって、それぞれ個別にスキャンおよび記録される。追加的にまたは代替的に、ＲＦＩＤリーダー１０２によってＲＦＩＤタグ１００をスキャンおよび識別し、フィルター媒体１４を識別することが可能である。先述の手順は、フィルター媒体１４が、フィルターハウジング１２に適正に関連付けられ、そして、フィルターハウジング１２が、流体ストリームに適正に関連付けられることを確実にし、エミッションテストの前に、エミッションテストの間に、およびエミッションテストに続いて、フィルター媒体１４が、流体ストリームにリンク付けされることを確実にする。そうする場合に、図８に概説されている手順は、記録されたフィルター媒体１４の重量が、適正な流体ストリームに結び付けられ、および、したがって、特定のエミッションテストの適正なフェーズに結び付けられることを確実にする。
【００５８】
バーコード８４、８５、８６、８８、および９０のそれぞれは、個別にスキャンされているが、代替的に、バーコード８４、８６、８８、および９０を一緒にスキャンすることが可能である。すなわち、バーコードリーダー（図示せず）を１回トリガーすることによって、バーコードのうちの２つを同時に読み取ることが可能である。
【００５９】
図９Ａ〜図９Ｂを参照して、エミッションテスト装置１０の動作が、より詳細に説明されることとなり、それによって、いわゆる「シングルショット」バーコードリーダーが、２つのバーコードを同時に読み取るために利用される。最初に、１２６において、フィルター媒体１４に関連付けられたバーコード８４をスキャンすることによって、または、代替的に、フィルター媒体１４の識別子を制御装置７６の中に手動記録することによって、フィルター媒体１４を識別することが可能である。１２８において、フィルター媒体１４を計量することが可能であり、１３０において、テスト前重量が、特定のフィルターＩＤに関連付けられる。フィルター媒体１４の重量が制御装置７６によって記録されると、１３２において、フィルター媒体１４のバーコード８４をフィルターハウジング１２のバーコード８６とともに同時に読み取ることが可能であり、１３４において、特定のフィルター媒体１４を特定のフィルターハウジング１２に自動的に関連付ける。バーコード８４はバーコード８６とともに同時に読み取られるので、バーコード８４をフィルター媒体１４の外径の近位に位置決めすることが可能であり、バーコード８４が、図３に示されているように、フィルターハウジング１２の第１のハウジング１６に関連付けられたバーコード８６の極めて近くにあることを可能にする。
【００６０】
１２８における空のフィルターの計量と、バーコード８４、８６のスキャンとの間の時間が、特定の時間範囲内にあることを制御装置７６が判定し、フィルターハウジング１２の中に搭載される前に、フィルター媒体１４が所定の時間よりも大気に露出されていないことを確実にし、フィルター媒体１４が大気から微粒子を収集することを防止する。１２８においてフィルターが計量された時間と、フィルター媒体１４およびフィルターハウジング１２がスキャンされた時間との間の時間が、所定の量を超えている場合には、１２６において、フィルター媒体１４が再びスキャンされ、１２８において再計量される。一方、１２８における空のフィルターの計量の時間と、フィルターハウジング１２およびフィルター媒体１４がスキャンされる時間との間の時間が特定の時間範囲内である場合には、１３６において、継手７８、８０をそれぞれ介して、フィルターハウジング１２をサイクロン６８および制御キャビネット７０に接続させることが可能である。
【００６１】
フィルターハウジング１２が継手７８、８０に接続されると、１３８において、フィルターハウジング１２に関連付けられたバーコード８８、および、流体ストリーム／試験用治具に関連付けられたバーコード９０を同時に読み取ることが可能である。次いで、制御装置７６は、１４０において、継手８０に供給される信号に基づいて、フィルターハウジング１２が継手７８、８０に適正に接続されているかどうかということについて判定することが可能である。フィルターハウジング１２が、継手７８、８０のいずれかまたは両方に適正に接続されていない場合には、制御装置７６は、バーコード８８、９０が読み取られることを許容しないこととなり、フィルターハウジング１２が特定の流体ストリームとリンク付けされることを可能にしないこととなる。一方、フィルターハウジング１２が継手７８、８０に適正に接続されているということを制御装置７６が判定する場合には、制御装置７６は、フィルターハウジング１２が設置されている特定の試験用治具が準備のできた状態であるということを識別することとなり、したがって、１４２において、流体がフィルターハウジング１２を通してサイクロン６８から制御キャビネット７０へ流れることを許容することとなる。
【００６２】
しかし、そうする前に、１４４において、制御装置７６は、まず他の流体ストリームをチェックし、フィルターハウジング１２がそれぞれの流体ストリームの中に適正に設置されているかどうかということを判定することとなる。そうでない場合には、ステップ１４４における判定が、サイクロン６８および制御キャビネット７０に流体連結されているフィルターハウジング１２を有するそれぞれの流体ストリームを結果として生じさせるまで、制御装置７６はステップ１３６に戻ることとなる。また、制御装置７６は、１４６において他の流体ストリームをチェックし、流体ストリームがキャップをされている（すなわち、キャップ１１６を介して）かどうかということについて判定することとなる。他の流体ストリームがキャップをされている場合には、制御装置７６は、１４８において、キャップをされたストリームを識別することとなり、または、代替的に、１５０において、キャップを外されているものとして流体ストリームを識別することとなる。それぞれの流体ストリームが、フィルターハウジング１２に適正に接続されている場合には、または、代替的に、他の流体ストリームが、適正にキャップをされている場合には、制御装置７６は、１５２において、特定のエミッションテストを始動させることに進むこととなる。
【００６３】
制御装置７６は、１５４において、テストを実行することに進むこととなり、それによって、排気ガスおよび大気の混合物を、フィルター媒体１４を通して引き込む。テストに続いて、フィルター媒体１４は、上記に説明されているように、フィルターハウジング１２から除去されることとなり、１５６において、フィルター媒体１４が再計量されることとなる。フィルターの後重量は、１５８において、記録されることとなり、フィルター媒体１４のバーコード８４が、もう一度スキャンされ、１５８において、フィルター媒体１４のテスト後の重量を特定のフィルター媒体１４にリンクさせ、その後に、１６０において、内燃エンジン７２のエミッションが計算されることとなる。
【００６４】
先述のエミッションテスト（図８、図９Ａ、および図９Ｂ）のそれぞれでは、フィルター媒体１４は、識別され、フィルター媒体１４が配設されている特定のフィルターハウジング１２にリンク付けされ、さらに、特定のフィルターキャリアー６０にリンクさせることが可能である。その後に、特定のフィルターハウジング１２は、特定の試験用治具／流体ストリームにリンク付けされ、フィルターハウジング１２を特定の試験用治具／流体ストリームにリンクさせる。したがって、試験用治具／流体ストリームは、フィルター媒体１４にリンク付けされ、それによって、フィルター媒体１４のテスト後の重量が、フィルターハウジング１２および流体ストリームに適正にリンク付けされることを確実にする。結果として、フィルター媒体１４の重量は、エミッションテストの正しいフェーズに適正に結び付けられ、それによって、内燃エンジン７２のエミッションの正確な計算を結果として生じさせる。
【００６５】
実施形態の先述の説明は、図示および説明の目的のために提供されてきた。それは、包括的であることを意図しておらず、または、本開示を限定することを意図していない。特定の実施形態の個別のエレメントまたは特徴は、一般的に、その特定の実施形態に限定されないが、適用可能な場合には、具体的には示されずまたは説明されていなくても、交換可能であり、選択された実施形態において使用することが可能である。また、特定の実施形態の個別のエレメントまたは特徴を、多くの方式で変化させることも可能である。そのような変形例は、開示からの逸脱としてみなされるべきではなく、すべてのそのような修正例は、本開示の範囲内に含まれることが意図されている。
【符号の説明】
【００６６】
１０  エミッションテスト装置
１２  フィルターハウジング
１４  フィルター媒体
１６  第１のハウジング
１８  第２のハウジング
２０  内側体積
２２  第１の端部
２４  第２の端部
２６  テーパー穴
２８，４６  ポート
３０，４８  継手
３２，５０  凹部
３４，５２  支持表面
３６  ラッチ機構
３８，５６  ヒンジ
４０  第１の端部
４２  第２の端部
４４  テーパー穴
５４  保持エレメント
６０  フィルターキャリアー
６２  第１のハウジング
６４  第２のハウジング
６６  長手方向軸線
６８  サイクロン
７０  制御キャビネット
７２  内燃エンジン
７４  真空部
７６  制御装置
７８，８０  継手
８０  継手
８２  流体ライン
８４，８５，８６，８８，９０  バーコード
【図１】
2015522820.tif 000003
【図２】
2015522820.tif 000004
【図３】
2015522820.tif 000005
【図４】
2015522820.tif 000006
【図５】
2015522820.tif 000007
【図６】
2015522820.tif 000008
【図７】
2015522820.tif 000009
【図８】
2015522820.tif 000010
【図９Ａ】
2015522820.tif 000011
【図９Ｂ】
2015522820.tif 000012
【国際調査報告】
2015522820.tif 000013
2015522820.tif 000014
2015522820.tif 000015